【手続補正書】
【提出日】平成28年2月1日(2016.2.1)
【手続補正１】
【補正対象書類名】特許請求の範囲
【補正対象項目名】全文
【補正方法】変更
【補正の内容】
【特許請求の範囲】
【請求項１】
ネットワーク通信を制御するための方法であって、
ネットワークにアクセスするための第1の許可セットを含む第1のメッセージを送信するステップと、
ネットワーク特性またはワイヤレスデバイスに関連する情報のうちの少なくとも1つの変更を識別するステップと、
ネットワーク特性またはワイヤレスデバイス情報の前記識別された変更に基づいて、前記ネットワークにアクセスするための第2のアクセス許可セットを生成するステップと、
前記ネットワークにアクセスするための前記第2の許可セットを含む第2のメッセージを送信するステップとを含み、
前記第1の許可セットおよび前記第2の許可セットの各許可が、複数のデバイスクラスのうちの少なくとも1つに関連し、各デバイスクラスに関する利用可能なアクセス技術と、ランダム値と各利用可能なアクセス技術に関するランダム化メトリックとの比較に基づいて、アクセス技術を選択するように構成されたランダム化メトリックとを含み、前記ランダム化メトリックが前記各利用可能なアクセス技術へのハンドオフを開始する確率を示す方法。
【請求項２】
ネットワーク通信を制御するための装置であって、
ネットワークにアクセスするための第1の許可セットを含む第1のメッセージを送信するための手段と、
ネットワーク特性またはワイヤレスデバイスに関連する情報のうちの少なくとも1つの変更を識別するための手段と、
ネットワーク特性またはワイヤレスデバイス情報の前記識別された変更に基づいて、前記ネットワークにアクセスするための第2のアクセス許可セットを生成するための手段と
を備え、
前記送信するための手段がさらに、前記ネットワークにアクセスするための前記第2の許可セットを含む第2のメッセージを送信するように構成され、
前記第1の許可セットおよび前記第2の許可セットの各許可が、複数のデバイスクラスのうちの少なくとも1つに関連し、各デバイスクラスに関する利用可能なアクセス技術と、ランダム値と各利用可能なアクセス技術に関するランダム化メトリックとの比較に基づいて、アクセス技術を選択するように構成されたランダム化メトリックとを含み、前記ランダム化メトリックが前記各利用可能なアクセス技術へのハンドオフを開始する確率を示す
装置。
【請求項３】
前記ネットワーク特性が、ネットワーク負荷、ネットワーク周波数負荷、前記ネットワークに対する接続の数、前記ネットワークの周波数に対する接続の数、負荷インジケータ、残りのリソースの割合、ユーザの割合に対するアクセス許可、デバイスクラスに対するアクセス許可、デバイスの1つまたは複数の識別子に対するアクセス許可、デバイスの分布に対するアクセス許可、および前記ネットワークとの接続の数のうちの1つまたは複数を含むか、または
前記ワイヤレスデバイスに関連する前記情報が、前記デバイスに関するクラス、前記デバイスの機能、前記デバイスの位置、アクセス優先順位レベル、サービス品質要件、およびアプリケーション識別子のうちの1つまたは複数を含む、請求項1に記載の方法。
【請求項４】
前記第1の許可セットまたは前記第2の許可セットの許可が特定のワイヤレスデバイスに関する識別子を含む、請求項1に記載の方法。
【請求項５】
前記ワイヤレスデバイスから登録要求を受信するステップであって、前記登録要求が前記ワイヤレスデバイスに関する識別子を含む、受信するステップと、
前記受信された識別子に少なくとも一部基づいて、前記ワイヤレスデバイスに関するデバイスクラスを判断するステップと、
前記ワイヤレスデバイスに関する前記デバイスクラスを含むメッセージを送信するステップと
を含む、請求項1に記載の方法。
【請求項６】
前記ワイヤレスデバイスに関する識別子を含むアクセス要求を受信するステップと、
前記ワイヤレスデバイス用の前記ネットワークに対するアクセス許可を判断するステップであって、前記ワイヤレスデバイスに関する前記識別子または前記ワイヤレスデバイスに関連するデバイスクラスを、アクセスが許可されたデバイスを示すリストと比較するステップを含む、判断するステップと
を含む、請求項1に記載の方法。
【請求項７】
前記ランダム化メトリックが、デバイスクラスに関する1つまたは複数のランダム数生成シード値、前記各アクセス技術への前記ハンドオフを開始する値を識別するための選択しきい値、および選択範囲内の値が、前記各アクセス技術への前記ハンドオフを開始するための基準を満たす選択範囲
を含む、請求項1に記載の方法。
【請求項８】
別のネットワークから、前記別のネットワークに関する第3のアクセス許可セットを含むメッセージを受信するステップと、
前記第3のアクセス許可セット内に含まれたデバイスのクラス内に含まれたアクセス要求をワイヤレスデバイスから受信するステップと、
前記メッセージと前記アクセス要求との比較に少なくとも一部基づいて、アクセス応答メッセージを送信するステップと
をさらに含む、請求項1に記載の方法。
【請求項９】
前記アクセス応答メッセージを前記送信するステップが、前記ワイヤレスデバイスがアクセス許可内に含まれたワイヤレスデバイスのクラスに関連しないとき、第1のネットワークと通信するように前記ワイヤレスデバイスに指示するためのメッセージを前記ワイヤレスデバイスに送信するステップを含み、
前記アクセス応答メッセージを前記送信するステップが、第2のネットワークに対する成功裏のアクセスを示すメッセージを前記ワイヤレスデバイスに送信するステップを含む  請求項8に記載の方法。
【請求項１０】
受信するための手段がさらに、前記ワイヤレスデバイスから登録要求を受信することであって、前記登録要求が前記ワイヤレスデバイスに関する識別子を含む、受信することを行うように構成され、
前記受信するための手段がさらに、前記受信された識別子に少なくとも一部基づいて、前記ワイヤレスデバイスに関するデバイスクラスを判断するように構成され、
前記送信するための手段がさらに前記ワイヤレスデバイスに関する前記デバイスクラスを含むメッセージを送信するように構成される
請求項2に記載の装置。
【請求項１１】
受信するための手段がさらに、前記ワイヤレスデバイスに関する識別子を含むアクセス要求を受信するように構成され、
前記識別するための手段がさらに、前記ワイヤレスデバイス用の前記ネットワークに対するアクセス許可を判断するように構成される
請求項2に記載の装置。
【請求項１２】
受信するための手段が、別のネットワークから、前記別のネットワークに関する第3のアクセス許可セットを含むメッセージを受信することと、前記第3のアクセス許可セット内に含まれた前記デバイスクラス内に含まれたアクセス要求をワイヤレスデバイスから受信することとを行うように構成され、
前記送信するための手段が、前記メッセージと前記アクセス要求の比較に少なくとも一部基づいて、アクセス応答メッセージを送信するようにさらに構成される
請求項2に記載の装置。
【請求項１３】
通信ネットワークアクセスを選択するための方法であって、
ワイヤレスデバイスにおいて、前記ワイヤレスデバイスのクラスと識別子とを記憶するステップと、
ネットワークにアクセスするための第1の許可セットを含む第1のメッセージを受信するステップであって、前記第1の許可セットの各許可が、複数のデバイスクラスのうちの少なくとも1つに関連し、各デバイスクラスに関する利用可能なアクセス技術と、ランダム値と各利用可能なアクセス技術に関するランダム化メトリックとの比較に基づいて、アクセス技術を選択するように構成されたランダム化メトリックとを含む、受信するステップと、
前記記憶されたクラスおよび識別子のうちの少なくとも1つに一部基づいて、前記第1の許可セットの許可を識別するステップと、
各デバイスクラスに関する前記利用可能なアクセス技術と、各利用可能なアクセス技術に関する前記ランダム化メトリックとに少なくとも一部基づいて、前記識別された許可に関連するアクセス技術を選択するステップであって、前記ランダム化メトリックが前記アクセス技術へのハンドオフを開始する確率を示す、選択するステップと
を含む方法。
【請求項１４】
請求項１〜９および１３のいずれか一項に記載のステップを実行するための命令を含むコンピュータ可読記憶媒体。
【請求項１５】
通信ネットワークアクセスを選択するための装置であって、
前記装置に関するクラスと識別子とを記憶するための手段と、
ネットワークにアクセスするための第1の許可セットを含む第1のメッセージを受信するための手段であって、前記第1の許可セットの各許可が、複数のデバイスクラスのうちの少なくとも1つに関連し、各デバイスクラスに関する利用可能なアクセス技術と、ランダム値と各利用可能なアクセス技術に関するランダム化メトリックとの比較に基づいて、アクセス技術を選択するように構成されたランダム化メトリックとを含む、受信するための手段と、
前記記憶されたデバイスクラスおよび前記記憶された識別子のうちの少なくとも1つに一部基づいて、前記第1の許可セットの許可を識別するための手段と、
各デバイスクラスに関する前記利用可能なアクセス技術と、各利用可能なアクセス技術に関する前記ランダム化メトリックとに少なくとも一部基づいて、前記識別された許可に関連するアクセス技術を選択するための手段であって、前記ランダム化メトリックが前記各アクセス技術へのハンドオフを開始する確率を示す、選択するための手段と
を備える装置。
【請求項１６】
前記ネットワーク特性が、ネットワーク負荷、ネットワーク周波数負荷、前記ネットワークに対する接続の数、前記ネットワークの周波数に対する接続の数、負荷インジケータ、残りのリソースの割合、ユーザの割合に対するアクセス許可、デバイスクラスに対するアクセス許可、デバイスの1つまたは複数の識別子に対するアクセス許可、デバイスの分布に対するアクセス許可、および前記ネットワークとの接続の数のうちの1つまたは複数を含むか、または
前記ワイヤレスデバイスに関連する前記情報が、前記デバイスに関するクラス、前記デバイスの機能、前記デバイスの位置、アクセス優先順位レベル、サービス品質要件、およびアプリケーション識別子のうちの1つまたは複数を含む、請求項2に記載の装置。
【請求項１７】
前記第1の許可セットまたは前記第2の許可セットの許可が特定のワイヤレスデバイスに関する識別子を含む、請求項2に記載の装置。
【請求項１８】
前記ランダム化メトリックが、デバイスクラスに関する1つまたは複数のランダム数生成シード値、前記各アクセス技術への前記ハンドオフを開始する値を識別するための選択しきい値、および選択範囲内の値が、前記各アクセス技術への前記ハンドオフを開始するための基準を満たす選択範囲
を含む、請求項2に記載の装置。